(57)【特許請求の範囲】
【請求項１】
貯水容器を有する本体ユニットと、前記貯水容器内の湯を吐出する水栓ユニットと、前記本体ユニットと水栓ユニットを電気的に接続する本体側配線および水栓側配線と、前記本体側配線および水栓側配線の接続部を収納する配線収納部とを備え、前記配線収納部にボスを設けるとともに、前記本体側配線と水栓側配線の途中を結束バンドで結束して環状部を設け、前記環状部を前記ボスに挿入した給湯装置。
【請求項２】
配線収納部を本体ユニットの側面に設け、ボスから配線収納部に設けた凹部まで引き回した配線の一部を前記凹部よりも低い位置に配するためのリブを配線収納部に設けた請求項１に記載の給湯装置。
【請求項３】
配線収納部の裏側からの配線を凹部の下方に設けた穴から配線収納部に通して他の配線と接続し、その接続部を凹部に収納した請求項２に記載の給湯装置。
【請求項４】
環状部を挿入した配線収納部のボスにネジ穴を設け、配線収納部を覆う蓋の貫通孔を介して蓋を前記ボスにネジ止めした請求項１〜３のいずれか１項に記載の給湯装置。
【発明の詳細な説明】
【０００１】
【発明の属する技術分野】
本発明は、貯水容器を有する本体ユニットと、貯水容器内の湯を吐出する水栓ユニットを有する給湯装置に関するものである。
【０００２】
【従来の技術】
従来、この種給湯装置としては、図８に示すような構成のものが知られている。
【０００３】
図において、１は給水用水道管で、この給水用水道管１は本体ユニット２内の電磁弁や比例開閉弁などで構成される給水手段３に接続されている。給水手段３には導水管４が接続され、貯水容器５に水を供給するようになっている。貯水容器５の底面には電気ヒータで構成された加熱手段６が設置されており、貯水容器５の水を加熱する。
【０００４】
また貯水容器５の底面にはサーミスタやサーモカップルなどで構成される温度検出手段７が設置されており、貯水容器５の水の温度を検出する。貯水容器５には水位検出手段８が設置されており、貯水容器５内の湯が減ってきた時に給水手段３を作動し給水するようになっている。９は電動ポンプで構成された出湯手段で、一端が貯水容器５に、他端が出湯経路１０に接続されており、貯水容器５の湯を出湯経路１０に輸送する。１１は給水手段３や加熱手段６、出湯手段９などを制御する制御手段である。
【０００５】
また、出湯経路１０はキッチンユニット１２の天板１３を貫通してキッチンユニット１２に設置した水栓ユニット１４に接続されている。水栓ユニット１４には操作表示手段１５が設けられ、操作表示手段１５の操作により、貯水容器５内の湯を出湯口１６から出したり、貯水容器５内に水を供給したりする操作ができるようになっている。１７は操作表示手段１５に接続された水栓側配線で、１８は制御手段１１に接続された本体側配線である。水栓側配線１７と本体側配線１８は接続器１９で接続され、操作表示手段１５からの操作が可能となっている。そして、これらの本体ユニット２や水栓ユニット１４は、家庭のキッチンユニット１２に合わせて設置できるよう分解した状態で出荷され、現場で施工されるようになっている。
【０００６】
【発明が解決しようとする課題】
しかしながら、前記従来の構成では、水栓側配線１７と本体側配線１８が接続器１９で接続されているが、配線を保持していないため、配線を引っ張った時に接続器１９に力が加わって外れ、導通不良になるという課題を有していた。また、接続器１９に力が加わらないように施工時に配線を固定するようにしても施工状態によりばらつきがあり確実性に欠けていた。
【０００７】
本発明は、上記従来の課題を解決するもので、施工が簡単でばらつきがなく確実に配線を固定し、接続部に力が加わらないようにした給湯装置を提供することを目的としている。
【０００８】
【課題を解決するための手段】
前記目的を達成するために、本発明の給湯装置は、本体側配線と水栓側配線の途中を結束バンドで結束して環状部を設け、環状部を配線収納部に設けたボスに挿入したものである。
【０００９】
これにより、本体側配線と水栓側配線の施工が簡単でばらつきがなく確実に配線を固定することができ、接続部に力が加わらないようにすることができる。
【００１０】
【発明の実施の形態】
請求項１に記載の発明は、貯水容器を有する本体ユニットと、前記貯水容器内の湯を吐出する水栓ユニットと、前記本体ユニットと水栓ユニットを電気的に接続する本体側配線および水栓側配線と、前記本体側配線および水栓側配線の接続部を収納する配線収納部とを備え、前記配線収納部にボスを設けるとともに、前記本体側配線と水栓側配線の途中を結束バンドで結束して環状部を設け、前記環状部を前記ボスに挿入した給湯装置とすることにより、施工は接続部を接続して環状部をボスに挿入するだけでよく、施工が非常に簡単でばらつきがなく行うことができる。また、配線を引っ張った時の力をボスで受けるため接続部に力が加わらないようにすることができる。
【００１１】
請求項２に記載の発明は、配線収納部を本体ユニットの側面に設け、ボスから配線収納部に設けた凹部まで引き回した配線の一部を前記凹部よりも低い位置に配するためのリブを配線収納部に設けた請求項１に記載の給湯装置とすることにより、ボスから凹部までの間の配線に水がかかったときに水が接続部側に流れるのを防ぐことができる。さらに、接続部の収納がしやすく、しかも配線を引っ張って環状部が回転したとしても接続器に力が加わりにくいものである。
【００１２】
請求項３に記載の発明は、配線収納部の裏側からの配線を凹部の下方に設けた穴から配線収納部側に通して他の配線と接続し、その接続部を凹部に収納した請求項２に記載の給湯装置とすることにより、配線収納部の裏側で水漏れを起こしても接続部に水がかからないようにすることができる。
【００１３】
請求項４に記載の発明は、環状部を挿入した配線収納部のボスにネジ穴を設け、配線収納部を覆う蓋の貫通孔を介して蓋を前記ボスにネジ止めした請求項１〜３のいずれか１項に記載の給湯装置とすることにより、蓋の存在で配線がより強力に行えるものである。
【００１４】
【実施例】
以下本発明の実施例について図面を参照して説明する。
【００１５】
（実施例１）
図１〜図３は本発明の実施例１における給湯装置を示すものである。
【００１６】
図において、３１は給水用水道管で、この給水用水道管３１は本体ユニット３２内の電磁弁や比例開閉弁などで構成される給水手段３３に接続されている。給水手段３３には導水管３４が接続され、貯水容器３５に水を供給するようになっている。貯水容器３５の底面には電気ヒータで構成された加熱手段３６が設置されており、貯水容器３５の水を加熱する。
【００１７】
また、貯水容器３５の底面にはサーミスタやサーモカップルなどで構成される温度検出手段３７が設置されており、貯水容器３５の水の温度を検出する。貯水容器３５には水位検出手段３８が設置されており、貯水容器３５内の湯が減ってきた時に給水手段３３を作動し給水するようになっている。３９は電動ポンプで構成された出湯手段で、一端が貯水容器３５に、他端が出湯経路４０に接続されており貯水容器３５の湯を出湯経路４０に輸送する。４１は給水手段３３や加熱手段３６、出湯手段３９などを制御する制御手段である。
【００１８】
また、出湯経路４０はキッチンユニット４２の天板４３を貫通してキッチンユニット４２に設置した水栓ユニット４４に接続されている。水栓ユニット４４には操作表示手段４５が設けられ、操作表示手段４５の操作により、貯水容器３５内の湯を出湯口４６からキッチンユニット４２のシンクに出したり、貯水容器３５内に水を供給したりする操作ができるようになっている。４７は操作表示手段４５に接続された水栓側配線で、４８は制御手段４１に接続された本体側配線である。４９は本体ユニット３２のケース５０を隔壁して設けた配線収納部で、配線収納部４９にはボス５１が設けられている。水栓側配線４７と本体側配線４８は、接続部を構成する接続器５２、５３で接続され、操作表示手段４５からの操作が可能となっている。
【００１９】
また、水栓側配線４７と本体側配線４８の途中には結束バンド５４でゆるまないようにした環状部４７ａおよび４８ａが設けられ、環状部４７ａと４８ａはボス５１に挿入されている。５５は配線収納部４９を覆う蓋である。
【００２０】
そして、これらの本体ユニット３２や水栓ユニット４４は、家庭のキッチンユニット４２に合わせて設置できるよう分解した状態で出荷され、現場で施工されるようになっている。
【００２１】
次に、前述した給湯装置の施工と組み立てた状態での作用について説明する。まず、キッチンユニット４２に本体ユニット３２および水栓ユニット４４を設置し、給水用水道管３１、出湯経路４０をそれぞれ接続する。そして、水栓側配線４７と本体側配線４８の接続器５２、５３を接続し、配線収納部４９に入れるとともにボス５１に環状部４７ａと４８ａを挿入し蓋５５を閉めると配線が完了する。施工現場では前述の作業だけで配線を終えることができ非常に作業が簡単である。環状部４７ａおよび４８ａをゆるまないように形成しているため、組み立てた後に水栓側配線４７や本体側配線４８に力が加わっても図３のようにボス５１を引っ張る方向の力となり接続器５２、５３に力が加わることがない。
【００２２】
また、製造工場で環状部４７ａおよび４８ａを形成することにより、施工によるばらつきを抑えることができる。
【００２３】
前述の実施例では本体ユニット３２のケース５０を隔壁して配線収納部４９を設けてあるが、配線収納部４９は別のユニットに設けてもよい。
【００２４】
（実施例２）
図４は本発明の実施例２における給湯装置を示すものである。
【００２５】
図に基づき、実施例１との相違点について説明する。この実施例では、配線収納部４９に接続器５２、５３が入る凹部５６を設け、接続器５２、５３を接続したあとこの凹部５６に納めるようにしてある。従って、接続器５２、５３の収納がしやすく、しかも配線収納部４９ａよりも凹部５６を深くしているため、環状部４７ａおよび４８ａが配線を引っ張って回転したとしても接続器５２、５３に力が加わりにくくなる。
【００２６】
（実施例３）
図５は本発明の実施例３における給湯装置を示すものである。
【００２７】
図に基づき、実施例１との相違点について説明する。この実施例では、配線収納部４９をケース５０の側面５０ａに設け、ボス５１から凹部５６まで引き回した水栓側配線４７および本体側配線４８の一部を凹部５６よりも低い位置に配するためのリブ５７を配線収納部４９に設けてある。水が蓋５５の隙間からケース５１内に入ってボス５１から凹部５６までの間の配線に水がかかったときに水が接続部側に流れるのを防ぐことができる。
【００２８】
（実施例４）
図６は本発明の実施例４における給湯装置を示すものである。
【００２９】
図に基づき、実施例１との相違点について説明する。この実施例では、配線収納部４９の裏側からのケース内配線５８を凹部５６の下方に設けた穴５９から配線収納部４９側に通して他の配線と接続し、その接続器（接続部）６３を凹部５６に収納してある。図１に示した、配線収納部４９の裏側の導水管３４や出湯経路４０から水漏れしたとしても、凹部５６の下方に設けた穴５９を通して配線しているため、漏れた水が穴５９やケース内配線５８を伝って接続部にかかることがない。
【００３０】
（実施例５）
図７は本発明の実施例５における給湯装置を示すものである。
【００３１】
図に基づき、実施例１との相違点について説明する。この実施例では、配線収納部４９のボス５１にネジ穴６０を設け、配線収納部４９を覆う蓋５５の貫通孔６１を介して蓋５５をボス５１にネジ６２で止めてある。従って、蓋５５が浮いて環状部４７ａや４８ａがボス５１から抜けてしまうことがない。また、配線を引っ張った時に力の加わるボス５１を蓋５５とともにネジ止めしてあるため、ボス５１の抗力を増すことができ引っ張りに対し強くなる。
【００３２】
【発明の効果】
以上のように本発明の給湯装置によれば、本体側配線と水栓側配線の途中にそれぞれ環状部を設け、環状部を配線収納部に設けたボスに挿入したことで、施工は接続部を接続して環状部をボスに挿入するだけでよく、施工が非常に簡単でばらつきがなく行うことができる。また、配線を引っ張った時の力をボスで受けるため、接続部に力が加わらないようにすることができる。
【図面の簡単な説明】
【図１】  本発明の実施例１における給湯装置の概略構成を示す断面図
【図２】  同給湯装置における要部の分解斜視図
【図３】  同給湯装置の要部側面図
【図４】  本発明の実施例２における給湯装置の要部分解斜視図
【図５】  本発明の実施例３における給湯装置の要部側面図
【図６】  本発明の実施例４における給湯装置の要部断面図
【図７】  本発明の実施例５における給湯装置の要部分解斜視図
【図８】  従来における給湯装置の概略構成を示す断面図
【符号の説明】
３２  本体ユニット
３５  貯水容器
４４  水栓ユニット
４７  水栓側配線
４７ａ  水栓側配線の環状部
４８  本体側配線
４８ａ  本体側配線の環状部
４９  配線収納部
５０  ケース
５１  ボス
５２、５３  接続器（接続部）
５５  蓋
５６  凹部
５７  リブ
５９  穴
６０  ネジ穴
６１  貫通孔
【図１】
0003841013.tif 000002
【図２】
0003841013.tif 000003
【図３】
0003841013.tif 000004
【図４】
0003841013.tif 000005
【図５】
0003841013.tif 000006
【図６】
0003841013.tif 000007
【図７】
0003841013.tif 000008
【図８】
0003841013.tif 000009